(57)【要約】【課題】照明器具を確実に保護でき、外部との接続作業が簡単となった照明装置及びコネクターを提供する。【解決手段】照明器具１３が、直方体状を成すサポートフレーム１１内に設けられ、かつ照明用の開口１２は透光性のカバー１４で覆われているため、外部からの異物接触による破損から確実に保護される。また、外部回路との接続に当っては、コネクター１５の保持体２４を押圧し、複数の接触子２３を前進させて鉤状に形成した先端を接続相手に噛合わせることにより、接続が完了するので操作が容易となる。接続後は、ばね２７により噛合い状態が維持され、接続解除に当っては、押し部材２６を押圧して複数の接触子２３を幅方向に変位させ、先端部の噛合いを外す。【選択図】　図１
2004022340.tif 000002
【特許請求の範囲】
【請求項１】
直方体状を成し、その一面に照明用の開口を形成したサポートフレームと、
このサポートフレーム内に取付けられ、前記開口を通して照明光を照射する照明器具ユニットと、
前記開口を覆う透光性のカバーと、
前記サポートフレームに取付けられ、前記照明器具ユニットと外部回路との間を接続するコネクターと、
を備えたことを特徴とする照明装置。
【請求項２】
請求項１に記載のコネクターであって、
絶縁性の支持板を内部に設けたケースと、
このケース内に複数本並設され、それぞれ接続相手に向って進退可能で、幅方向にも変位可能な状態で前記支持板を貫通し、先端部は鉤状に形成され、前記進退動作により接続相手と噛合い、幅方向の変位によって噛合いが解除される接触子と、
これら複数の接触子の基端部を共通に保持し、押圧操作体を一体に有する絶縁性の保持体と、
この保持体と前記支持板との間に設けられ、前記接触子に対する後退方向の作用力を生じるばねと、
前記複数の接触子に対して共通に設けられ、これら接触子に対して前記幅方向の変位力を加える押し部材と、
前記支持板に取付けられ、複数の接触子間を区分する絶縁スペーサと、
を備えたことを特徴とするコネクター。
【発明の詳細な説明】
【０００１】
【発明の属する技術分野】
本発明は、配電盤内等に設けられる照明装置及びこの照明装置に用いられるコネクターに関する。
【０００２】
【従来の技術】
電力設備等に設けられる配電盤内には、扉開放時に内部を照明する照明装置が設けられている。従来のこの種の照明装置は、配電盤内に設けられたサポートフレームの下面に照明器具（蛍光灯等）をむき出しの状態で取付けていた。また、この照明器具に対する電源用の端子台は、サポートフレームの下面に照明器具に隣接して取付けていた。
【０００３】
このような構成のため、配電盤内の改造時等、作業者がむき出し状態の照明器具に触れてこれを破損させる恐れがあった。また、端子台は配電盤内に突起物の状態で設けられているため作業者がこれに触れて感電する恐れがある。
【０００４】
また、配電盤は複数面列盤構成となる場合があり、照明用電源を隣接盤との間で相互に接続する必要がある。このような場合、照明器具近くに設置した端子台から、隣接盤の端子台に渡り線を手作業で配線しなければならず、狭い盤内での作業となるため作業員の負担が大きかった。
【０００５】
【発明が解決しようとする課題】
このように従来の照明設備は、照明器具及び電源接続用の端子台が、サポートフレームの下面にむき出しの状態で取付けられていたため、改造時等、盤内作業に当って器具の破損や感電が生じる恐れがあった。また、狭い盤内での隣接盤との配線作業が必要となり、作業者に負担をかけていた。
【０００６】
本発明の目的は、照明器具を確実に保護でき、外部との接続作業が容易となった照明装置及びコネクターを提供することにある。
【０００７】
【課題を解決するための手段】
本発明による照明装置は、直方体状を成し、その一面に照明用の開口を形成したサポートフレームと、このサポートフレーム内に取付けられ、前記開口を通して照明光を照射する照明器具ユニットと、前記開口を覆う透光性のカバーと、前記サポートフレームに取付けられ、前記照明器具ユニットと外部回路との間を接続するコネクターとを備えたことを特徴とする。
【０００８】
また、本発明によるコネクターは上記照明装置に用いるものであって、絶縁性の支持板を内部に設けたケースと、このケース内に複数本並設され、それぞれ接続相手に向って進退可能で、幅方向にも変位可能な状態で前記支持板を貫通し、先端部は鉤状に形成され、前記進退動作により接続相手と噛合い、幅方向の変位によって噛合いが解除される接触子と、これら複数の接触子の基端部を共通に保持し、押圧操作体を一体に有する絶縁性の保持体と、この保持体と前記支持板との間に設けられ、前記接触子に対する後退方向の作用力を加えるばねと、前記複数の接触子に対して共通に設けられ、これら接触子に対して前記幅方向の変位力を加える押し部材と、前記支持板に取付けられ、複数の接触子間を区分する絶縁スペーサとを備えたことを特徴とする。
【０００９】
本発明では、照明器具が、直方体状を成すサポートフレーム内に設けられ、かつ照明用の開口は透光性のカバーで覆われているため、外部からの異物接触による照明器具の破損を確実に防止できる。
【００１０】
また、外部回路との接続に当っては、コネクターの保持体を押圧し、複数の接触子を前進させて鉤状に形成した先端を接続相手に噛合わせることにより、接続が完了するので操作が容易となる。接続後は、ばねにより噛合い状態が維持されるので、接続解除に当っては、押し部材を押圧して複数の接触子を幅方向に変位させる。この操作により先端部の噛合い外れ、接続が解除される。
【００１１】
【発明の実施の形態】
以下、本発明による照明装置及びコネクターの一実施の形態を図面を参照して説明する。
【００１２】
図１は照明装置の全体構成を示す斜視図である。この実施の形態では、この照明装置を配電盤内の照明に適用するものとして説明する。
【００１３】
図１において、１１は配電盤内に設けられるサポートフレームで、薄板材などにより直方体の枠状に形成されており、その一面（図示下面）には照明用の開口１２が形成されている。１３は蛍光灯等による照明器具ユニットで、このサポートフレーム１１の下面に形成された照明用の開口１２を通して、サポートフレーム１１内に取付けられている。そして、この開口１２を通して照明光を下方に照射し、配電盤内を照明する。この照明器具ユニット１３と対向する照明用の開口１２は、透光性のカバー、例えば、半透明アクリル板１４によって覆われている。
【００１４】
この照明器具ユニット１３は、サポートフレーム１１内に設けられたコネクター１５及び端子台１６をパラに介して外部の電源回路と接続する。
【００１５】
この照明装置は、前述のように配電盤内に設けられるので、電源回路について隣接盤との配線が必要な場合がある。コネクター１５は、隣接盤に設けられた同じ構成のコネクターと接続する場合に使用する。また、端子台１６は、隣接盤が同じ構成のコネクターを持たない場合に、従来と同様に隣接盤との渡り配線接続に用いる。
【００１６】
コネクター１５は、図２のように構成されている。図２は隣接盤に設けた同じ構成のコネクターとの連結状態を示している。
【００１７】
図２において、２１はケースで、内部には絶縁性の支持板２２が設けられている。２３は接触子で、ケース２１内において支持板２２を貫通した状態で複数本並設されており、配線２３ａとそれぞれ接続している。これら接触子２３は、それぞれ接続相手に向って進退可能で、かつ幅方向にも変位可能な状態で支持板２２に支持されている。また、これら接触子２３は、先端部が鉤状に形成されており、その前進動作により接続相手の接触子と図示のように噛合い、接続状態となる。さらに、これら接触子２３は、その幅方向の変位によって噛合いが外れ、接続が解除される。
【００１８】
２４は絶縁材による保持体で、ケース２１外に突出する押圧操作体２５を一体に有し、複数の接触子２３の各基端部を共通に保持する。この保持体２４と支持板２２との間にはばね２６が設けられ、各接触子２３に対し後退方向の作用力を与える。
【００１９】
２７は解除用の押し部材で、複数の接触子２３の側面に共通に設けられ、押圧操作により、これら接触子２３に対して幅方向の変位力（解除操作力）を加える。なお、図示していないが、この押し部材２７による変位力に対し、各接触子２３に復元力を与えるばねが設けられており、押し部材２７への押圧操作をやめると、各接触子２３は元の状態に復帰する。２８は板状の絶縁スペーサで、一端が支持板２２に取付けられており、複数の接触子２３間を区分する。
【００２０】
上記構成は、接続相手となるコネクター（図示右側部分）についてもまったく同じであり、対応する部分には同一符号を付している。
【００２１】
このような構成において、照明器具ユニット１３は、直方体状を成すサポートフレーム１１内に設けられており、かつ照明用の開口１２は透光性のカバー１４で覆われているため、外部の異物が衝突することはなく、破損を確実に防止できる。したがって、盤内改造のため作業者が狭い盤内に入って作業を行なう場合、誤って照明器具に触れて落下させたり破損させたりすることはなく、破片による怪我も防止でき、安全性が向上する。
【００２２】
また、コネクター１５及び端子台１６もサポートフレーム１１内に設けられているため、従来の端子台のように盤内突起物になることはなく、作業者と接触して感電を生じることもない。
【００２３】
また、隣接盤との配線に当っては、コネクター１５を相手側のコネクター１５に連結することにより容易に行なうことができる。この場合、押圧操作体２５をばね２７の反発力に抗して押圧し、保持体２４に保持された各接触子２３を前進させる。各接触子２３はこの前進動作により先端に形成された鉤状部分が、相手側接触子２３の先端鉤状部分と噛合い、一体的に連結される。この後は、ばね２７の圧力により接触子２３間の噛合いは維持され、配線２３ａ，２３ａ間は接続状態を保つ。
【００２４】
この接続状態を解除する場合は、各接触子２３の側面に共通に設けられた押し部材２６を押圧操作し、各接触子２３を幅方向に変位させる。この操作により、各接触子２３の先端鉤状部の噛合いが外れ、ばね２７の圧力により相手側接触子との連結が解除される。
【００２５】
このように、押圧操作体２５に対するワンタッチ操作でコネクター１５間が連結され、押し部材２６に対するワンタッチ操作でコネクター１５間の連結解除が行なわれる。したがって、隣接盤との配線及び配線分離が容易となる。
【００２６】
ここで、各接触子２３は絶縁スペーサ２８によって区分されており、これら各端子２３は隣の接触子と接触することはなく、短絡を確実に防止できる。また、分離状態では、ばね２７により各接触子２３はケース２１内に収まっており外部には露出しないので安全である。さらに、接触子２３の連結・分離は絶縁スペーサ２８によって区分された空間内で、押圧操作やばね圧によって比較的高速に行なわれるので、活線状態での電源受け渡し（コネクター１５相互の脱着）も可能となる。
【００２７】
なお、隣接盤がコネクター１５を持たない場合は、端子台１６を用いて従来と同様に配線すればよい。
【００２８】
このように、上記実施の形態によると、照明器具ユニット１３がサポートフレーム１１内に設けられ、かつ照明用の開口１２は透光性カバー１４で覆われているため、作業者が誤って照明器具に直接触れることがなくなり、蛍光管の落下や破損を防止でき、怪我の発生がなくなる。
【００２９】
また、コネクター１５での接触子２３の接触・分離はケース２１内で行なわれるため、活線状態での電源受け渡しが可能となる。さらに、並設された接触子２３間は絶縁スペーサ２８で区切られているため、端子間短絡の恐れがなく、しかも、コネクター１５の分離状態においても接触子２３の先端部はケース２１外に露出しないため安全である。
【００３０】
また、コネクター１５を用いてことから隣接盤との配線及び配線引き外しをワンタッチで行なうことができる。
【００３１】
【発明の効果】
本発明によれば、照明器具の破損を生じることなく確実に保護でき、また、外部との接続作業が容易になると共に、端子間短絡が生じることがなく、しかも、充電部の露出がないことから作業者に対する安全性も向上する。
【図面の簡単な説明】
【図１】本発明による照明装置の一実施の形態を示す斜視図である。
【図２】本発明によるコネクターの一実施の形態を示す斜視図である。
【符号の説明】
１１　　サポートフレーム
１２　　照明用の開口
１３　　照明器具
１４　　透光性カバー
１５　　コネクター
２１　　ケース
２２　　絶縁性の支持板
２３　　接触子
２４　　保持体
２５　　押圧操作体
２６　　解除用の押し部材
２７　　ばね
２８　　絶縁スペーサ
【図１】
2004022340.tif 000003
【図２】
2004022340.tif 000004